(57)【要約】【課題】本発明は、自動販売機が破壊されたことを素早く人に通報できる警報システム及びその方法を提供することを目的とする。【解決手段】本発明に係る警報システムは、プロセッサと、制御器と、警報装置と、重力センサーと、を備え、重力センサーは自動販売機の加速度値を検知し、プロセッサは加速度値を自動販売機の振動角度に変換し、加速度値の変化を自動販売機の振動角度の変化に変換し、振動角度及びその変化が警戒条件に達するかどうかを判断し、警戒レベルになると、制御器は、警報装置が警報音を出すよう制御する。【選択図】図１
2015036990.tif 000002
【特許請求の範囲】
【請求項１】
プロセッサと、
制御器と、
警報装置と、
重力センサーと、
を備えてなる警報システムであって、
前記重力センサーは自動販売機の加速度値を検知し、前記プロセッサは前記加速度値を前記自動販売機の振動角度に変換し、前記加速度値の変化を自動販売機の振動角度の変化に変換し、前記振動角度及びその変化が警戒条件に達するかどうかを判断し、警戒条件に達すると、前記制御器は前記警報装置が警報音を出すよう制御することを特徴とする警報システム。
【請求項２】
サーバに接続されるネットワークアダプタを更に備え、前記警戒条件に達する時、前記プロセッサは前記ネットワークアダプタを介して前記サーバに警報情報を転送することを特徴とする請求項１に記載の警報システム。
【請求項３】
カメラ及び記憶装置を更に備え、前記警戒条件に達する時、前記制御器は前記カメラが自動販売機を撮影するよう制御し、撮影した撮影データを前記記憶装置に記憶させることを特徴とする請求項２に記載の警報システム。
【請求項４】
前記プロセッサは前記撮影データを前記ネットワークアダプタを介して前記サーバに転送することを特徴とする請求項３に記載の警報システム。
【請求項５】
警戒条件に達するかどうかを判断する前に、前記プロセッサは前記自動販売機の正常状態下の振動角度を計算しないことを特徴とする請求項１から４の何れか一項に記載の警報システム。
【請求項６】
重力センサーによって自動販売機の加速度値を検知するステップと、
前記加速度値を前記自動販売機の振動角度に変換し、前記加速度値の変化を自動販売機の振動角度の変化に変換するステップと、
前記振動角度及びその変化が警戒条件に達するかどうかを判断するステップと、
警戒条件に達すると、警報装置が警報音を出すよう制御するステップと、を備えることを特徴とする警報方法。
【発明の詳細な説明】
【技術分野】
【０００１】
本発明は、警報システム及びその方法に関するものである。
【背景技術】
【０００２】
現在自動販売機は至る所に設置されているが、付近に管理者がいないため破壊されやすい。破壊された際は、警察に通報するのが一般的であるが、被害を受けた直後から発見されるまでに時間が経過している場合もあり、この間に、より被害を受けている可能性もある。
【発明の概要】
【発明が解決しようとする課題】
【０００３】
本発明の目的は、前記問題を解決し、自動販売機が破壊されたことを素早く人に通報できる警報システム及びその方法を提供することである。
【課題を解決するための手段】
【０００４】
上記目的を達成するために、本発明に係る警報システムは、プロセッサと、制御器と、警報装置と、重力センサーと、を備え、重力センサーは自動販売機の加速度値を検知し、プロセッサは加速度値を自動販売機の振動角度に変換し、加速度値の変化を自動販売機の振動角度の変化に変換し、振動角度及びその変化が警戒条件に達するかどうかを判断し、警戒レベルになると、制御器は警報装置が警報音を出すよう制御する。
【発明の効果】
【０００５】
本発明に係る警報システムは、重力センサーによって、自動販売機の異変を検知でき、警報装置によって警報を発することができるので、自動販売機の破壊を素早く人に通報することができる。
【図面の簡単な説明】
【０００６】
【図１】本発明の実施形態に係る警報システムのブロック図である。
【図２】本発明の実施形態に係る警報方法のフローチャートである。
【発明を実施するための形態】
【０００７】
図１に示したように、本発明の実施形態に係る警報システム１０は、自動販売機が破壊された時に作動するシステムであって、重力センサー１０１と、プロセッサ１０２と、制御器１０３と、警報装置１０４と、カメラ１０５と、記憶装置１０６と、ネットワークアダプタ１０７と、を備える。
【０００８】
重量センサー１０１は、自動販売機の物理状態を検知し、自動販売機が振動状態から加速状態に変わったことを示す信号をプロセッサ１０２に送信する。
【０００９】
重量センサー１０１は、自動販売機のマザーボード上に設置され、自動販売機の特定方向での慣性力の総量を検知し、この方向での自動販売機の加速度及び重力を測量し、加速度値を計算する。重量センサー１０１は、加速度値を電子信号にして、電子信号をプロセッサ１０２に送信する。
【００１０】
プロセッサ１０２は、重力センサー１０１から送信された信号を受信し、加速度値を自動販売機の振動角度に変換し、この振動角度が設定された最大角度値より大きいかどうかを判断し、異常振動方向及び該異常振動方向における角度変化の特徴を計算する。別の実施形態において、計算量を減少させ、判断ミスを防ぐために、プロセッサ１０２は上述の計算及び判断の前に、自動販売機の正常な振動角度（自動販売機が正常な状態の際に起こる振動の角度）を計算しない。
【００１１】
プロセッサ１０２は、加速度値の変化を自動販売機の振動角度の変化に変換し、振動角度の大きさに基づいて、自動販売機が破壊されているかどうかを判断し、自動販売機の振動角度の変化の特徴に基づいて、自動販売機が破壊されている程度を認識し、この破壊された程度が警戒条件に達するかどうかを判断する。
【００１２】
制御器１０３は、プロセッサ１０２から警報信号を受信すると、警報装置１０４が警報を鳴らすよう制御する。警報装置１０４は警報を鳴らすことによって、自動販売機の付近にいる人々（例えば、自動販売機の管理者、警察官、通行人など）に異常に気づかせる。これにより、自動販売機に対する不法破壊を阻止してもらうことができる。
【００１３】
ネットワークアダプタ１０７は、ＩＰアドレスを介してサーバ５０に接続される。自動販売機が警戒条件まで破壊されたと判断された場合、プロセッサ１０２は、サーバ５０に情報を送信し、サーバ５０の管理者に対して、自動販売機に異常事態が起きていることを知らせ、相応の措置を行うよう促す。
【００１４】
他の実施形態において、制御器１０３は、プロセッサ１０２から警報信号を受信した後、カメラ１０５が、自動販売機の現場を撮影するよう制御し、撮影した映像データを記憶装置１０６に記憶させる。プロセッサ１０２は、ネットワークアダプタ１０７を介して映像データをサーバ５０に転送する。これによって、サーバ５０の管理者は映像データを基に、より正確な措置を行うことができる。
【００１５】
他の実施形態において、警報システム１０は複数の警戒レベルを有しても良い。
【００１６】
プロセッサ１０２は、計算した振動角度が、第一回数(例えば一回)で最大角度値を超えている又は第一予定時間(例えば２秒)内で最大角度値を超えている第一警戒レベルであると判断すると、制御器１０３に第一レベル警報信号を送信する。制御器１０３はこの警報信号に従って、警報装置１０４が警報音を出すよう制御する。ここでの第一警戒レベルとは、人が不注意に自動販売機にぶつかり、自動販売機が軽く壊されたレベルである。この時、警報装置１０４の主な役割は、警報音を鳴らして、当事者に警告することである。
【００１７】
プロセッサ１０２は、プロセッサ１０２が計算した振動角度が、第二回数(例えば２回)で最大角度値を超えている又は第一予定時間より長い第二予定時間(例えば１０秒)内で最大角度値を超えている第二警戒レベルであると判断すると、制御器１０３に第二レベル警報信号を送信すると共に、ネットワークアダプタ１０７を介してサーバ５０に警報情報を送信する。制御器１０３はこの警報信号に従って、警報装置１０４が持続的に警報音を出すよう制御する。ここでの第二警戒レベルとは、自動販売機が故意に破壊された可能性があるレベルである。
【００１８】
プロセッサ１０２は、プロセッサ１０２が計算した振動角度が第三回数(例えば１０回)で最大角度値を超えている又は第二予定時間より長い第三予定時間(例えば３０秒)内で最大角度値を超えている第三警戒レベルであると判断すると、制御器１０３に第三レベル警報信号を送信すると共に、ネットワークアダプタ１０７を介してサーバ５０に警報情報を送信する。制御器１０３はこの警報信号に従って、警報装置１０４が持続的に警報音を出すよう制御すると共に、カメラ１０５が自動販売機を撮影するよう制御する。プロセッサ１０２は撮影した映像データをサーバ５０に転送する。ここでの第三警戒レベルとは、自動販売機が故意に破壊された可能性が高いレベルである。
【００１９】
図２に示したのは、本発明の実施形態に係る警報方法のフローチャートである。
【００２０】
ステップＳ２０１において、自動販売機の物理状態を検知する重量センサー１０１は、自動販売機のマザーボード上に設置され、自動販売機の特定方向での慣性力の総量を検知し、この方向での自動販売機の加速度及び重力を測量し、加速度値を計算し、加速度値を電子信号にして、電子信号をプロセッサ１０２に送信する。
【００２１】
ステップＳ２０２において、プロセッサ１０２は重力センサー１０１から送信された信号を受信し、加速度値を自動販売機の振動角度に変換し、加速度値の変化を自動販売機の振動角度の変化に変換する。
【００２２】
ステップＳ２０３において、プロセッサ１０２は振動角度及びその変化が警戒条件に達するかどうかを判断し、達する場合ステップＳ２０４に進み、達しない場合ステップＳ２０１に戻る。
【００２３】
ステップＳ２０４において、プロセッサ１０２は振動角度及びその変化に基づいて、警戒レベルを判断し、第一警戒レベルと判断した場合、ステップＳ２０５に進み、第二警戒レベルと判断した場合、ステップＳ２０６に進み、第三警戒レベルと判断した場合、ステップＳ２０７に進む。
【００２４】
ステップＳ２０５において、プロセッサ１０２は制御器１０３に第一レベル警報信号を送信する。制御器１０３は第一レベル警報信号に従って、警報装置１０４が警報音を出すよう制御する。
【００２５】
ステップＳ２０６において、プロセッサ１０２は制御器１０３に第二レベル警報信号を送信すると共に、ネットワークアダプタ１０７を介してサーバ５０に警報情報を送信する。制御器１０３は第二レベル警報信号に従って、警報装置１０４が持続的に警報音を出すよう制御する。
【００２６】
ステップＳ２０７において、プロセッサ１０２は制御器１０３に第三レベル警報信号を送信すると共に、ネットワークアダプタ１０７を介してサーバ５０に警報情報を送信する。制御器１０３は第三レベル警報信号に従って、警報装置１０４が持続的に警報音を出すよう制御すると共に、カメラ１０５が自動販売機を撮影するよう制御する。プロセッサ１０２は撮影した映像データをサーバ５０に転送する。
【符号の説明】
【００２７】
１０  警報システム
１０１  重力センサー
１０２  プロセッサ
１０３  制御器
１０４  警報装置
１０５  カメラ
１０６  記憶装置
１０７  ネットワークアダプタ
５０  サーバ
【図１】
2015036990.tif 000003
【図２】
2015036990.tif 000004